(57)【要約】【課題】貸し手と借り手のシステム共有化を図る。【解決手段】通信ユニット２は、読み取った情報の種類が第１情報記憶媒体５ａと判別したときに中央監視装置３に問い合わせ信号を出力し、読み取った情報の種類が第２情報記憶媒体５ｂと判別し、その情報を正常と判定したときは電気錠装置４に解錠制御信号を出力する。中央監視装置３は、問い合わせ信号が入力され、第１情報記憶媒体５ａと判別した情報を正常と判定したときに通信ユニット２に解錠命令を出力する。通信ユニット２は、中央監視装置３から問い合わせ信号に対する応答として解錠命令が入力されると、電気錠装置４に解錠制御信号を出力する。【選択図】図１
2012036704.tif 000002
【特許請求の範囲】
【請求項１】
規格やフォーマットの異なる第１情報記憶媒体と第２情報記憶媒体からなる２種類の情報記憶媒体を使い分けて建物内のテナントへの出入を管理する出入管理システムであって、
前記建物の全体を監視する中央監視装置と、
前記建物内のテナント毎の扉に設けられ、解錠制御信号の入力により解錠制御される電気錠装置と、
前記中央監視装置との間で通信する第１通信部と、前記電気錠装置との間で通信する第２通信部と、前記情報記憶媒体の情報を読み取る情報読取部と、該情報読取部が読み取った情報の種類が前記第１情報記憶媒体か前記第２情報記憶媒体かを判別する制御部とが一体にユニット化された通信ユニットとを備え、
前記通信ユニットの前記制御部は、前記情報読取部が読み取った情報の種類を前記第１情報記憶媒体と判別したときには前記第１通信部から前記中央監視装置に問い合わせ信号を出力し、前記情報読取部が読み取った情報の種類を第２情報記憶媒体と判別し、その情報を正常と判定したときには前記第２通信部を介して前記電気錠装置に解錠制御信号を出力し、
前記中央監視装置は、前記問い合わせ信号が入力され、前記第１情報記憶媒体と判別した情報を正常と判定したときに前記制御部に解錠命令を出力し、
前記通信ユニットの前記制御部は、前記中央監視装置から前記問い合わせ信号に対する応答として前記解錠命令が入力されたときに、前記電気錠装置に解錠制御信号を出力することを特徴とする出入管理システム。
【請求項２】
前記制御部は、前記情報読取部が読み取った情報を前記第２情報記憶媒体と判別したときに、前記第２情報記憶媒体による一連の操作ログを含むログ情報を保存するメモリを有し、
前記メモリに保存されたログ情報の取り出しが可能な入出力部を備えたことを特徴とする請求項１記載の出入管理システム。
【発明の詳細な説明】
【技術分野】
【０００１】
本発明は、例えば小売店舗、飲食店、オフィスなどに区分けスペースを賃貸して収入をあげるテナントビルに採用され、各テナントへの入退出を管理する出入管理システムに関するものである。
【背景技術】
【０００２】
例えばホテルやオフィスビル等の商業施設や公共施設の入出口、集合住宅や一般住宅のエントランスや玄関等には電気錠が広く普及している。この種の電気錠は、予め錠前を施解錠するために必要な情報（個人コードや現場コード）をＩＣカードに記憶した情報記憶媒体を用い、施解錠時に情報記憶媒体から情報を読み取り、読み取った情報の正当性を登録情報との照合により判断し、情報記憶媒体の情報を正常に認証した場合のみ錠前の解錠や施錠を行うものである。
【０００３】
ところで、小売店舗、飲食店、オフィスなどに区分けスペースを賃貸して収入をあげるテナントビルでは、上述した電気錠を採用した出入管理システムをテナントビルの持ち主（貸し手）が利用者（借り手）に提供している。
【０００４】
図４はこの種のテナントビルの持ち主が利用者に提供する一般的な出入管理システムの概略構成を示している。図４の出入管理システム５１は、テナント入口の扉５２に配設される電気錠装置５３と、テナント入口近傍に配設されるカードリーダ５４と、テナント内の壁面等に配設される制御装置５５と、テナントへの出入を許可する登録情報（例えば暗証情報、テナント情報など）や出入履歴などの情報を一括管理し、建物の全体を監視する中央監視装置５６とから構築される。この出入管理システム５１では、電気錠装置５３の解錠に必要な情報（例えば暗証情報、テナント情報、社員情報など）を記憶したＩＣカードなどの情報記憶媒体５７が用いられる。情報記憶媒体５７は、予めテナント毎に必要数だけ発行され、電気錠装置５３の解錠を許された利用者が所持する。
【０００５】
この出入管理システム５１では、テナントの利用者が所持する情報記憶媒体５７がカードリーダ５４にかざされると、情報記憶媒体５７の情報がカードリーダ５４に読み取られ、読み取った情報が制御装置５５に送られる。制御装置５５は、カードリーダ５４から情報記憶媒体５７の情報が入力されると、中央監視装置５６との間で通信し、その情報が中央監視装置５６に送られる。中央監視装置５６では、制御装置５５から送られる情報記憶媒体５７の情報と登録情報とを照合し、照合が一致するか否かを判別する。そして、中央監視装置５６は、両者の情報が一致し、カードリーダ５４が読み取った情報記憶媒体５７の情報を正常と判定すると、制御装置５５に解錠指令を出力する。そして、制御装置５５は、中央監視装置５６から解錠指令が入力されると、電気錠装置５３に通電して解錠制御する。これにより、テナントの利用者は、電気錠装置５３の解錠により開閉可能となった扉５２を通過してテナント内に入室することができる。そして、電気錠装置５３は、利用者がテナント内に入室して閉扉されると、制御装置５５により自動的に施錠制御される。
【０００６】
尚、この種の電気錠を採用した出入管理システムとしては、例えば下記特許文献１に開示される出入管理システムなどが知られている。
【０００７】
そして、図４に示すような出入管理システム５１を入居者（借り手）が使用する場合には、社員名簿やカードのリストを貸し手で管理し、通行の履歴を見たい場合には、借り手が貸し手に都度申請して履歴データを出力してもらうといった運用が一般的であった。
【０００８】
また、借り手として、社員名簿やカードのリストを貸し手で管理する運用が煩わしい場合や借り手の社内規定によっては、図４の一点鎖線で囲まれるように、借り手が独自に出入管理システム６１を自己の費用と手間により別途導入することもある。その際、テナント入口の扉５２に新しい錠を取り付ける訳にはいかないため、新しい扉６２をそのテナント内部に新たに設け、扉６２や電気錠装置６３をテナント内部に独自に追加設置していた。尚、出入管理システム６１は、電気錠装置６３と、利用者が所持する情報記憶媒体６４の情報を読み取るカードリーダ６５と、カードリーダ６５が読み取った情報を正常認証したときに電気錠装置６３を解錠制御する制御装置６６とで構築される。
【先行技術文献】
【特許文献】
【０００９】
【特許文献１】特開平６−１０１３７６号公報
【発明の概要】
【発明が解決しようとする課題】
【００１０】
このように、図４に示す従来の出入管理システム５１では、テナントの社員名簿やカードのリストを貸し手で管理する運用方式なので、借り手と貸し手の連絡が煩雑になるという課題があった。また、貸し手が借り手に提供する出入管理システム５１の中央監視装置５５で情報を一括管理しているので、貸し手から借り手に必要以上に社員情報を提供することになり、個人情報の扱いに関する問題もあった。
【００１１】
また、図４の一点鎖線で示すように、借り手が独自に出入管理システム６１を導入した場合には、貸し手が提供するシステム５１と、借り手のシステム６１で使用する情報記憶媒体（ＩＣカードなど）５７の共通化が困難になる。そのため、借り手は、異なる規格やフォーマットの２種類のカード（建物入館用のカード５７、テナント内部用のカード６４）を別々に所持する必要がある。
【００１２】
さらに、借り手が独自に出入管理システム６１を導入した場合には、扉６２や電気錠装置６３などの施設を余分に追加設置する必要がある。しかも、非常時に貸し手が入室する際には、貸し手が借り手から情報記憶媒体６４を借用する必要も生じる。
【００１３】
そこで、本発明は上記問題点に鑑みてなされたものであり、貸し手と借り手のシステム共有化を図ることができる出入管理システムを提供することを目的とするものである。
【課題を解決するための手段】
【００１４】
上記した目的を達成するために、請求項１に記載された出入管理システムは、規格やフォーマットの異なる第１情報記憶媒体と第２情報記憶媒体からなる２種類の情報記憶媒体を使い分けて建物内のテナントへの出入を管理する出入管理システムであって、
前記建物の全体を監視する中央監視装置と、
前記建物内のテナント毎の扉に設けられ、解錠制御信号の入力により解錠制御される電気錠装置と、
前記中央監視装置との間で通信する第１通信部と、前記電気錠装置との間で通信する第２通信部と、前記情報記憶媒体の情報を読み取る情報読取部と、該情報読取部が読み取った情報の種類が前記第１情報記憶媒体か前記第２情報記憶媒体かを判別する制御部とが一体にユニット化された通信ユニットとを備え、
前記通信ユニットの前記制御部は、前記情報読取部が読み取った情報の種類を前記第１情報記憶媒体と判別したときには前記第１通信部から前記中央監視装置に問い合わせ信号を出力し、前記情報読取部が読み取った情報の種類を第２情報記憶媒体と判別し、その情報を正常と判定したときには前記第２通信部を介して前記電気錠装置に解錠制御信号を出力し、
前記中央監視装置は、前記問い合わせ信号が入力され、前記第１情報記憶媒体と判別した情報を正常と判定したときに前記制御部に解錠命令を出力し、
前記通信ユニットの前記制御部は、前記中央監視装置から前記問い合わせ信号に対する応答として前記解錠命令が入力されたときに、前記電気錠装置に解錠制御信号を出力することを特徴とする。
【００１５】
請求項２に記載された出入管理システムは、請求項１の出入管理システムにおいて、
前記制御部は、前記情報読取部が読み取った情報を前記第２情報記憶媒体と判別したときに、前記第２情報記憶媒体による一連の操作ログを含むログ情報を保存するメモリを有し、
前記メモリに保存されたログ情報の取り出しが可能な入出力部を備えたことを特徴とする。
【発明の効果】
【００１６】
本発明に係る出入管理システムによれば、物理的には１つのシステムでありながら、貸し手と借り手という管理区分も組織も異なる２者のシステムの共有化を図ることができる。
【００１７】
また、入出力部を備えた構成なので、この入出力部を介して情報記憶媒体の登録・抹消を行ったり、必要なログ情報の取り出しを行うことができる。これにより、借り手は、ビル管理会社等の貸し手とＩＤ情報や個人情報のやりとりをすることなく、独自にシステムを利用することができる。
【図面の簡単な説明】
【００１８】
【図１】本発明に係る出入管理システムの概略構成図である。
【図２】本発明に係る出入管理システムの各部の内部構成を示すブロック図である。
【図３】本発明に係る出入管理システムによる情報読取時のフローチャートである。
【図４】一般的な出入管理システムの概略構成を示す図である。
【発明を実施するための形態】
【００１９】
以下、本発明を実施するための形態について、添付した図面を参照しながら詳細に説明する。図１は本発明に係る出入管理システムの概略構成図、図２は同出入管理システムの各部の内部構成構成を示すブロック図、図３は同出入管理システムによる情報読取時のフローチャートである。
【００２０】
本発明に係る出入管理システムは、例えば商業ビル等の建物の貸し手が建物内の各テナントを借り手に提供し、各テナントの出入を管理するものである。
【００２１】
図１に示すように、出入管理システム１は、通信ユニット２、中央監視装置３、電気錠装置４によって構築され、利用するシステムに応じて２種類の情報記憶媒体５を使い分けて電気錠装置４の解錠を行っている。以下、各構成について説明する。
【００２２】
本例に採用される情報記憶媒体５は、利用者が所持可能な例えばＩＣカードやＩＣタグ、これらを内蔵した携帯機器（例えば携帯電話など）で構成され、規格やフォーマットが異なる第１情報記憶媒体５ａと第２情報記憶媒体５ｂとの２種類の媒体からなる。
【００２３】
第１情報記憶媒体５ａは、後述する情報読取部１１が読み取り可能な規格やフォーマットにより第１システムを利用するために必要な情報を記憶している。
【００２４】
第２情報記憶媒体５ｂは、後述する情報読取部１１が読み取り可能で、第１情報記憶媒体５ａとは異なる規格やフォーマットにより第２システムを利用するために必要な情報を記憶している。
【００２５】
ここで、第１システムは、図１の構成において、電気錠装置４の解錠に中央監視装置３が介在するシステムであり、図中の一点鎖線の矢印で示すように、第１情報記憶媒体５ａを用い、この第１情報記憶媒体５ａの情報を通信ユニット２を介して中央監視装置３で照合判別し、その結果に基づいて電気錠装置４を解錠制御するものである。これに対し、第２システムは、図１の構成において、中央監視装置３が介在しないシステムであり、図中の破線の矢印で示すように、第２情報記憶媒体５ｂを用い、この第２情報記憶媒体５ｂの情報を通信ユニット２自身で照合判別し、その結果に基づいて電気錠装置４を解錠制御するものである。
【００２６】
本例の出入管理システム１において、各テナントの利用者は、上述した第１システム又は第２システムのどちらのシステムを利用するかに合わせて第１情報記憶媒体５ａ又は第２情報記憶媒体５ｂの何れか一方を所持する。
【００２７】
通信ユニット２は、図２に示すように、情報読取部１１、制御部１２、通信部１３、入出力部１４が一体にユニット化されたもので、例えば建物内の専有部である各テナント毎の扉６の内部、扉６の表面、扉６の近傍などに設けられる。
【００２８】
情報読取部１１は、複数種類の規格やフォーマットの情報の読み取りに対応した読取器で構成され、第１情報記憶媒体５ａや第２情報記憶媒体５ｂから情報を読み取り、読み取った情報を制御部１２に出力している。
【００２９】
制御部１２は、ＣＰＵ、メモリを含み、通信ユニット２の各部を統括制御している。制御部１２は、情報読取部１１が情報記憶媒体５から情報を読み取ると、その情報の規格・フォーマットに基づき、情報記憶媒体５が第１情報記憶媒体５ａ又は第２情報記憶媒体５ｂの何れの種類の情報であるかを判別している。制御部１２は、情報の種類が第１情報記憶媒体５ａであると判別すると、その情報の照合判定を行うべく通信部１３を介して中央監視装置３に問い合わせを行い、この問い合わせに対する応答として解錠命令が入力されると、電気錠装置４に解錠制御信号を出力している。これに対し、情報の種類が第２情報記憶媒体５ｂであると判別すると、その情報の正否を判定するべく、予めメモリに保存された登録情報と照合して両者が一致するか否かを判別し、両者の情報が一致して正常と判定したときに、電気錠装置４に解錠制御信号を出力している。
【００３０】
尚、制御部１２のメモリは、情報記憶媒体５の種類を判別するための情報や第２情報記憶媒体５ｂの正否を判定するための情報などを予め登録情報として記憶している。また、制御部１２のメモリは、情報記憶媒体５による一連の操作ログ、判別結果、出入状況などを含むログ情報を逐次保存している。
【００３１】
通信部１３は、第１通信部１３ａと第２通信部１３ｂを有する。第１通信部１３ａは、中央監視装置３と有線又は無線で接続され、中央監視装置３との間で通信を行うもので、第１情報記憶媒体５ａの照合判定の問い合わせに使用する。また、第２通信部１３ｂは、電気錠装置４と有線又は無線で接続され、電気錠装置４との間で通信を行うもので、電気錠装置４の解錠制御に使用する。
【００３２】
入出力部１４は、例えばＵＳＢやワイヤレスＬＡＮなどのインターフェースからなる。入出力部１４は、設定器や端末装置を接続し、借り手（テナント入居者）が独自に第２情報記憶媒体５ｂの登録・抹消を行ったり、制御部１２のメモリのログ情報を取り出す際に使用する。テナント入居者（借り手）は、この機能によって、ビル管理会社等の貸し手とＩＤ情報や個人情報のやりとりをすることなく、独自にシステムを利用することができる。尚、この入出力部１４から第１情報記憶媒体５ａの登録・抹消を行ったり、制御部１２を介して中央監視装置３のログ情報を取り出すことも可能である。
【００３３】
中央監視装置３は、建物の全体を監視する外部端末装置で構成され、通信ユニット２の第１通信部１３ａと有線又は無線で接続される。中央監視装置３は、制御部１２から第１通信部１３ａを介して問い合わせがあると、この問い合わせ前に情報読取部１１が読み取った情報の正否を判定するべく、予め保存された登録情報と照合して両者が一致するか否かを判別し、両者の情報が一致して正常と判定したときに、第１通信部１３ａを介して制御部１２に解錠命令を出力している。
【００３４】
電気錠装置４は、通信機能を有して自律的に動作するインテリジェント型の電気錠で構成され、通信部２１、制御部２２、施解錠機構２３を備えている。
【００３５】
通信部２１は、通信ユニット２の第２通信部１３ｂと有線又は無線で接続され、第２通信部１３ｂとの間で通信を行っている。
【００３６】
制御部２２は、ＣＰＵ、メモリを含み、電気錠装置４の各部を統括制御している。この制御部１２のメモリは、情報記憶媒体５の種類を判別するための情報、第２情報記憶媒体５ｂの正否を判定するための情報などを登録情報として記憶している。また、制御部２２のメモリは、情報記憶媒体５による一連の操作ログ、出入状況を含むログ情報を保存している。制御部２２は、通信ユニット２の制御部１２から第２通信部１３ｂ、通信部２１を介して解錠指令が入力されると、施解錠機構２３に解錠制御信号を出力している。
【００３７】
施解錠機構２３は、各テナント毎の扉６に装備される周知の構成であり、制御部２２から解錠制御信号が入力されると、扉枠の係止穴に対してデッドボルトを引き込み、錠前を電気的に解錠する。そして、施解錠機構２３は、錠前が解錠して利用者が開扉によりテナントに入室してから閉扉すると、制御部２２の制御により、扉枠の係止穴に対してデッドボルトが突出し、錠前が自動的に施錠する。
【００３８】
尚、本例では、情報読取部１１が読み取った情報の種類が第２情報記憶媒体５ｂと判定したときに、この情報の照合判定を通信ユニット２の制御部１２で行うようにしているが、この情報の照合判定を電気錠装置４の制御部２２で行う構成とすることもできる。
【００３９】
また、電気錠装置４として、従来より周知の非インテリジェント型の電気錠を用いた場合には、この電気錠を通電により駆動する回路が通信ユニット２に搭載される。
【００４０】
さらに、制御部２２は、情報記憶媒体５の情報を正常と判定したときに施解錠機構２３の錠前を解錠制御する構成であるが、情報記憶媒体５の情報を情報読取部１１に読み取らせ、この読み取らせた情報を正常と判定したときに施解錠機構２３の錠前を施錠制御するようにしても良い。
【００４１】
次に、上記構成による出入管理システム１の情報読取時の動作について図３のフローチャートを参照しながら説明する。
【００４２】
通信ユニット２の情報読取部１１は、テナントに入室するべく利用者が所持する情報記憶媒体５が情報読取部１１にかざされると、この情報記憶媒体５から情報を読み取る（ＳＴ１）。制御部１２は、情報読取部１１が読み取った情報記憶媒体５の情報の規格・フォーマットからその情報が第１情報記憶媒体５ａか第２情報記憶媒体５ｂの何れの種類かを判別する（ＳＴ２）。
【００４３】
制御部１２は、読み取った情報の種類が第１情報記憶媒体５ａと判別すると、中央監視装置３へ問い合わせをかける（ＳＴ３）。中央監視装置３では、制御部１２からの問い合わせにより、第１情報記憶媒体５ａと判別した情報を正常認証したか否かを判定する（ＳＴ４）。すなわち、第１情報記憶媒体５ａと判別した情報を登録情報と照合して正否を判定する。そして、中央監視装置３は、第１情報記憶媒体５ａと判別した情報を正常と判定すると、問い合わせに対する応答として解錠命令を制御部１２に返す。
【００４４】
制御部１２は、中央監視装置３から解錠命令が入力されると、通信部１３を介して電気錠装置４に解錠制御信号を出力する。電気錠装置４は、制御部１２から通信部２１を介して解錠制御信号が入力されると、施解錠機構２３を解錠制御する（ＳＴ５）。このとき、中央監視装置３では、情報記憶媒体５を用いた一連の操作ログをログ情報（正常ログ）として保存し、通信ユニット２では、中央監視装置３からの解錠命令により電気錠装置４が解錠したことをログ情報（正常ログ）として制御部１２のメモリに保存する（ＳＴ６）。その後、次の情報記憶媒体５の情報の待ち受け状態に移行する（ＳＴ７）。
【００４５】
ＳＴ４において、中央監視装置３は、制御部１２からの問い合わせにより、第１情報記憶媒体５ａと判別した情報が登録情報と一致せず異常と判定すると、問い合わせに対する応答をせず、情報記憶媒体５を用いた一連の操作ログをログ情報（異常ログ）として保存する（ＳＴ８）。その後、次の情報記憶媒体５の情報の待ち受け状態に移行する（ＳＴ７）。
【００４６】
一方、通信ユニット２内の制御部１２は、情報読取部１１が読み取った情報記憶媒体５の情報が第２情報記憶媒体５ｂと判別すると、この情報を正常認証したか否かを判定する（ＳＴ９）。すなわち、通信ユニット２の制御部１２自身で第２情報記憶媒体５ｂと判別した情報を登録情報と照合して正否を判定する。この際、通信ユニット２から中央監視装置３への問い合わせをかけない。
【００４７】
そして、制御部１２は、第２情報記憶媒体５ｂと判別した情報を登録情報と照合し、両者が一致して情報を正常と判定すると、通信部１３を介して電気錠装置４に解錠制御信号を出力する。電気錠装置４は、制御部１２から通信部２１を介して解錠制御信号が入力されると、施解錠機構２３を解錠制御する（ＳＴ１０）。このとき、通信ユニット２では、情報記憶媒体５を用いた一連の操作ログ及び通信ユニット２からの解錠制御信号により電気錠装置４が解錠したことをログ情報（正常ログ）として制御部１２のメモリに保存する（ＳＴ１１）。その後、次の情報記憶媒体５の情報の待ち受け状態に移行する（ＳＴ７）。
【００４８】
ＳＴ９において、通信ユニット２の制御部１２は、第２情報記憶媒体５ｂと判別した情報が登録情報と一致せず異常と判定すると、情報記憶媒体５を用いた一連の操作ログをログ情報（異常ログ）としてメモリに保存する（ＳＴ１２）。その後、次の情報記憶媒体５の情報の待ち受け状態に移行する（ＳＴ７）。
【００４９】
このように、本発明に係る出入管理システムでは、物理的には１つのシステムでありながら、貸し手と借り手という管理区分も組織も異なる２者のシステムの共有化を図ることができる。そして、このような出入管理システムの構成を貸し手が借り手に提供すれば、２者のシステムで扉の共有化が図れ、借り手側が新しい扉等を設置して独自にシステムを追加構築する必要もなく、全体における機器の導入コストを削減でき、管理区分に関しても、貸し手と借り手に明確に分けることができる。
【符号の説明】
【００５０】
１  出入管理システム
２  通信ユニット
３  中央監視装置
４  電気錠装置
５  情報記憶媒体
５ａ  第１情報記憶媒体
５ｂ  第２情報記憶媒体
６  扉
１１  情報読取部
１２  制御部
１３  通信部
１３ａ  第１通信部
１３ｂ  第２通信部
１４  入出力部
２１  通信部
２２  制御部
２３  施解錠機構
【図１】
2012036704.tif 000003
【図２】
2012036704.tif 000004
【図３】
2012036704.tif 000005
【図４】
2012036704.tif 000006